(57)【要約】【課題】エレベータホールへの持ち込みやエレベータホールからの撤去などを要することなく、必要に応じて即座に能率よく乗場口の前方部を仕切ってその乗場口への第三者の立入りを規制することができるエレベータの乗場口安全柵装置を提供する。【解決手段】エレベータ乗場口１の三方枠３の一方の側枠４ａ内に、巻き軸２５に巻き付けた仕切り幕２４を収納し、エレベータの保守点検時にその仕切り幕２４を三方枠３の一方の側枠４ａからばね部材２７の弾性力に抗して引き出して三方枠３の一方の側枠４ａと他方の側枠４ｂとの間に張り渡すことでエレベータ乗場口１への第三者の立入りを規制し、保守点検の作業が終了した後に、前記仕切り幕２４をばね部材２７の弾性力で巻き軸２５に自動的に巻き取って側枠４ａ内に収納する。【選択図】    図４
2008265968.tif 000002
【特許請求の範囲】
【請求項１】
エレベータの乗場口に設けられ、左右に一対の側枠を有した三方枠と、
前記三方枠の一方の側枠内に設けられた回転可能な巻き軸と、
前記巻き軸に巻き取られて前記三方枠の一方の側枠内に収納され、その巻き軸から巻き戻して前記一方の側枠内から引き出すことが可能な仕切り幕と、
前記巻き軸から引き出した仕切り幕の端部を前記三方枠の他方の側枠に係止して該仕切り幕を前記一方の側枠と他方の側枠との間に張り渡すことが可能な係止手段と、
を具備することを特徴とするエレベータの乗場口安全柵装置。
【請求項２】
前記巻き軸は、ばね部材により前記仕切り幕を巻き取る回転方向に弾性的に付勢されていることを特徴とする請求項１に記載のエレベータの乗場口安全柵装置。
【発明の詳細な説明】
【技術分野】
【０００１】
この発明は、エレベータの保守点検時などにそのエレベータの乗場口への第三者の立入りを規制するために用いられるエレベータの乗場口安全柵装置に関する。
【背景技術】
【０００２】
エレベータの保守点検時には、各階のエレベータ乗場口の上部に点検札を取り付けて点検作業中であることを第三者に知らせるとともに、各階あるいは必要な階の乗場口の前方部に安全柵を設置して乗場口への第三者の立入りを規制するようにしている。
【０００３】
このような安全柵については、例えば特開２００２−３０２３５５公報や特開平１０−８７２４７号公報などに開示されている。これらの従来の安全柵は、折畳み式や分解式となっていて、保守点検の作用を始める前に各階のエレベータホールに持ち込んで展開し、あるいは組立てて乗場口の前方部を覆うように設置するようになっている。
【特許文献１】特開２００２−３０２３５５公報
【特許文献２】特開平１０−８７２４７号公報
【発明の開示】
【発明が解決しようとする課題】
【０００４】
しかしながら、このように保守点検の作業を始める前にいちいち安全柵をエレベータホールに持ち込んで展開し、あるいは組立てて設置するのでは、その作業に多大な労力と時間を要し、能率が低下し、また保守点検の作業が終了した際にも、安全柵を折畳み、あるいは分解して保管場所にまで搬送しなければならず、その作業にも多大な労力と時間を要してしまう。特に、中層や高層の建物の各階に安全柵を設置するとなれば、多数の安全柵を必要とし、かつその多数の安全柵を各階ごとに持ち運んで設置しなければならず、より多大な労力と時間を要し、さらにその安全柵の撤去にも多大な労力と時間を要してしまう。そしてその撤去した安全柵を保管するための広いスペースを確保しなければならなくなる。
【０００５】
この発明はこのような点に着目してなされたもので、その目的とするところは、エレベータホールへの持ち込みやエレベータホールからの撤去などの煩わしい作業を要することなく、必要に応じて即座に能率よく乗場口の前方部を仕切ってその乗場口への第三者の立入りを規制することができるエレベータの乗場口安全柵装置を提供することにある。
【課題を解決するための手段】
【０００６】
請求項１の発明は、エレベータの乗場口に設けられ、左右に一対の側枠を有した三方枠と、前記三方枠の一方の側枠内に設けられた回転可能な巻き軸と、前記巻き軸に巻き取られて前記三方枠の一方の側枠内に収納され、その巻き軸から巻き戻して前記一方の側枠内から引き出すことが可能な仕切り幕と、前記巻き軸から引き出した仕切り幕の端部を前記三方枠の他方の側枠に係止して該仕切り幕を前記一方の側枠と他方の側枠との間に張り渡すことが可能な係止手段とを具備することを特徴としている。
【０００７】
請求項２の発明は、前記巻き軸が、ばね部材により前記仕切り幕を巻き取る回転方向に弾性的に付勢されていることを特徴としている。
【発明の効果】
【０００８】
この発明によれば、エレベータホールへの持ち込みやエレベータホールからの撤去などの煩わしい作業を要することなく、必要に応じて即座に能率よく乗場口の前方部を仕切ってその乗場口への第三者の立入りを規制することができる。
【発明を実施するための最良の形態】
【０００９】
以下、この発明の実施の形態について図面を参照して説明する。
【００１０】
図１にはエレベータホール側から見たエレベータ乗場口の正面図を、図２にはそのエレベータ乗場口の平面から見た断面図をそれぞれ示してある。エレベータ乗場口１は、建屋の壁面に形成された開口部２の内側に三方枠３を据え付けてなる。三方枠３は開口部２の左右両側に垂直に配置された一対の側枠４ａ，４ｂと、これら側枠４ａ，４ｂの上端部間に水平に掛け渡された上枠５とで門形に構成されている。
【００１１】
エレベータ乗場口１の前方側はエレベータホール１０、背面側は昇降路１１であり、昇降路１１内において乗りかご１２が昇降移動する。エレベータ乗場口１の背面部には、例えば一対のドアパネル１４が左右に移動してエレベータ乗場口１を開閉する両開き式のドア装置１５が設けられている。１６は、ドアパネル１４の移動をガイドするシルである。
【００１２】
ドア装置１５は通常時には閉合され、乗りかご１２が移動してエレベータホール１０に着床して停止しときに開放され、この開放によりエレベータ乗場口１から乗りかご１２への乗り込みが可能となり、その乗り込みが完了した後にドア装置１５が再び閉合し、この閉合後に乗りかご１２が次の目的階に向って移動する。
【００１３】
エレベータの保守点検時にはドア装置１５が手動で開放され、その開放により作業員がエレベータ乗場口１を通って昇降路１１内に入り込み、所定の作業を進める。エレベータ乗場口１の三方枠３には保守点検時に用いる安全柵装置が組み込まれている。
【００１４】
以下、この安全柵装置について説明する。三方枠３の一方の側枠４ａには縦長の開口２１が形成されている。この開口２１は側枠４ａのほぼ下半部の位置に形成され、この開口２１の内側に図３及び図４に示すように収納ボックス２３が設けられ、この収納ボックス２３内に巻き取り式の仕切り幕２４が設けられている。
【００１５】
この仕切り幕２４は、収納ボックス２３の上下板間に垂直に取り付けられた回転自在な巻き軸２５に巻き取られて収納されている。巻き軸２５の上下部には例えばゼンマイ式のばね部材２７が設けられ、これらばね部材２７により巻き軸２５が仕切り幕２４を巻き取る回転方向に弾性的に付勢されている。仕切り幕２４は例えばビニールなどの合成樹脂を素材とした比較的腰の強い張りのある帯状のシートからなり、表面には『作業中』、『近づかないで下さい』などの注意を喚起する表示が施されている。そしてこの仕切り幕２４の巻き戻し側の端部に係止手段としてフック２８が取り付けられている。
【００１６】
側枠４ａに形成された開口２１には扉３０が設けられている。この扉３０は図１に示すヒンジ３０ａを介して開口２１の縁部に回動可能に取り付けられ、この扉３０により開口２１を開閉することができるようになっている。この扉３０には施錠装置３１が設けられ、この施錠装置３１を所定のキーを用いて操作することにより扉３０を施錠し、また解錠することができるようになっている。
【００１７】
三方枠３の他方の側枠４ｂには、一方の側枠４ａに形成された開口２１と対向する縦長の開口３４が形成され、この開口３４の内側にボックス３５が取り付けられ、このボックス３５の上下板間に係止ピン３６が取り付けられ、この係止ピン３６に前記仕切り幕２４のフック２８を掛け止めることができるようになっている。
【００１８】
前記開口３４には扉３８が設けられ、この扉３８は図１に示すヒンジ３８ａを介して開口３４の縁部に回動可能に取り付けられ、この扉３８により開口３４を開閉することができるようになっている。この扉３８には施錠装置３９が設けられ、この施錠装置３９を所定のキーを用いて操作することにより扉３８を施錠し、またその施錠を解除することができるようになっている。
【００１９】
通常時には、仕切り幕２４は図３（Ａ）及び図４（Ａ）に示すように巻き軸２５に巻かれて側枠４ａの内側に収納され、各側枠４ａ，４ｂの開口２１，３４が扉３０，３８で閉じられ、かつその扉３０，３８がそれぞれ施錠装置３１，３９により施錠されている。そしてこの状態でエレベータの利用者が乗場口１を通って乗りかご１２に対して乗降する。
【００２０】
一方、エレベータの保守点検時には、エレベータの運行が停止され、かつエレベータ乗場口１に安全措置が講じられる。この安全措置の手順工程を図６に示してある。まず、図５に示すように三方枠３の上部にマグネット式の点検札４０を取り付ける（Ｓ１）。この点検札には『点検中』などの表示が施されており、この点検札４０でエレベータ乗場口１に近づく第三者に対してエレベータの点検作業中つまりエレベータが停止中であることを知らせる。
【００２１】
次に、三方枠３の側枠４ａ，４ｂにおける扉３０，３８の施錠を解除し、これら扉３０，３８を開く（Ｓ２）。次に、一方の側枠４ａの内側に収納されている仕切り幕２４を、図３（Ｂ）及び図４（Ｂ）に示すように開口２１を通して側枠４ａの外側に引き出す（Ｓ３）。すなわち、巻き軸２５に巻かれている仕切り幕２４をばね部材２７に抗してその巻き軸２５から巻き戻す方向に弾性的に引き出す。そしてこの仕切り幕２４の巻き戻し側の端部に取り付けられているフック２８を他方の側枠４ｂの開口３４を通してその内側の係止ピン３６に掛け止める（Ｓ４）。
【００２２】
これにより図５に示すように仕切り幕２４が一方の側枠４ａと他方の側枠４ｂとの間にばね部材２７の弾性力により所定の張力で張り渡され、この仕切り幕２４によりエレベータホール１０と乗場口１との間が仕切られ、乗場口１に対する第三者の立入りを規制することができる。
【００２３】
仕切り幕２４は、その巻き始め端が巻き軸２５に固着され、また横長寸法が側枠４ａ，４ｂ間の寸法とほぼ同じとなっており、したがって側枠４ａ，４ｂ間に張り渡された仕切り幕２４にエレベータホール１０側から第三者の体が不用意に触れるようなことがあっても、仕切り幕２４がそれ以上側枠４ａから延び出ることはなく、その第三者の体を安定して支えて乗場口１への侵入を防止する安全柵として的確に機能する。また、側枠４ａ，４ｂ間に張り渡された仕切り幕２４は、ばね部材２７により巻き取り方向に弾性的に付勢されており、このため緩んだり垂れ下がるようなことがなく、安全柵としての形態を常時良好に保持することができる。
【００２４】
このような乗場口１に対する安全措置を建屋の各階のエレベータホール１０において実施する（Ｓ５）。そしてすべての階のエレベータ乗場口１に安全措置を講じた後に、例えば必要な階の乗場口１のドア装置１５を手動で開き、作業員が昇降路１１内に入り込んで所定の保守点検作業を進める（Ｓ６）。
【００２５】
保守点検作業が完了した後には、各階のエレベータホール１０において、仕切り幕２４のフック２８を係止ピン３６から外し、ばね部材２７の弾性力で仕切り幕２４を巻き軸２５に巻き取る（Ｓ７）。次に、各側枠４ａ，４ｂの扉３０，３８を閉じ、施錠装置３１，３９で施錠して開口２１，３４を密閉する（Ｓ８）。
【００２６】
このようにこの発明においては、エレベータ乗場口１の三方枠３に安全柵装置を組み込み、エレベータの保守点検時に三方枠３の一方の側枠４ａ内から仕切り幕２４を引き出し、この仕切り幕２４を三方枠３の一方の側枠４ａと他方の側枠４ｂとの間に張り渡すことでエレベータ乗場口１への第三者の立入りを規制し、保守点検の作業が終了した後に、前記仕切り幕２４をばね部材２７の弾性力で巻き軸２５に自動的に巻き取って側枠４ａ内に収納保管することができるようにしたものである。
【００２７】
したがって、従来のように、いちいち個々の安全柵をエレベータホールに持ち込み、展開したり組立てたりして設置するような面倒で煩わしい作業が不要で、また保守点検の作業が終了した後に、個々の安全柵を折畳んだり分解したりして保管場所にまで搬送するような面倒で煩わしい作業も不要となる。特に、中層や高層の建物の場合、各階に安全柵を設置するとなれば、多数の安全柵を必要とし、かつその多数の安全柵を各階ごとに持ち運んで設置しなければならないが、この発明ではそのような作業が不要で、また安全柵を保管するための広いスペースを別個確保するような必要もなく、管理が容易となる。
【図面の簡単な説明】
【００２８】
【図１】この発明の一実施形態に係る安全柵装置を備えるエレベータの乗場口を示す正面図。
【図２】その乗場口の断面図。
【図３】その乗場口の安全柵装置の断面図。
【図４】その安全柵装置の正面図。
【図５】その安全柵装置の仕切り幕を張り渡したときの状態を示す正面図。
【図６】その安全柵装置を取り扱う際の手順を順に示す工程図。
【符号の説明】
【００２９】
１…エレベータ乗場口
３…三方枠
４ａ．４ｂ…側枠
１５…ドア装置
２１…開口
２４…仕切り幕
２５…巻き軸
２７…ばね部材
２８…フック
３０．３８…扉
３１．３９…施錠装置
３４…開口
３６…係止ピン
【図１】
2008265968.tif 000003
【図２】
2008265968.tif 000004
【図３】
2008265968.tif 000005
【図４】
2008265968.tif 000006
【図５】
2008265968.tif 000007
【図６】
2008265968.tif 000008